(57)【要約】【課題】作業者に対するサービス性を向上できる画像形成装置を提供する。【解決手段】第１開口が形成された装置本体と、前記第１開口を開閉可能に装置本体に取り付けられた第１カバーと、前記装置本体と前記第１カバーを連結するストラップ１３とを備え、前記ストラップ１３により前記第１カバーの最大開き状態が保持され、前記装置本体の前記第１開口よりも奥側に第２開口が形成され、前記第２開口を開閉可能な第２カバーが装置本体に取り外し自在に取り付けられ、前記第２カバーを閉じ状態にロックするロック機構１６が設けられ、前記ストラップ１３に、前記ロック機構１６のロックを解除するロック解除操作部１７が設けられている。【選択図】図１０
2019133001.tif 000002
【特許請求の範囲】
【請求項１】
第１開口が形成された装置本体と、
前記第１開口を開閉可能に前記装置本体に取り付けられた第１カバーと、
前記装置本体と前記第１カバーを連結するストラップとを備え、
前記ストラップにより前記第１カバーの最大開き状態が保持される画像形成装置であって、
前記装置本体の前記第１開口よりも奥側に第２開口が形成され、
前記第２開口を開閉可能な第２カバーが前記装置本体に取り外し自在に取り付けられ、
前記第２カバーを閉じ状態にロックするロック機構が設けられ、
前記ストラップに、前記ロック機構のロックを解除するロック解除操作部が設けられている画像形成装置。
【請求項２】
前記ストラップの一端部が、前記装置本体に取り外し自在に取り付けられ、
前記ストラップの一端部に前記ロック解除操作部が設けられている請求項１記載の画像形成装置。
【請求項３】
前記第１カバーは、下端部側の軸心を中心に揺動開閉可能に構成されている請求項１又は２記載の画像形成装置。
【請求項４】
前記装置本体の前記第２開口の奥側にオプション部品取り付け部が設けられている請求項１〜３のいずれか一つに記載の画像形成装置。
【発明の詳細な説明】
【技術分野】
【０００１】
本発明は画像形成装置に関する。
【背景技術】
【０００２】
特許文献１に開示されているように、プリンター等の画像形成装置の装置本体には、装置本体内に詰まった用紙を取り除くジャム処理等を行うことができるように作業用の第１開口がされている。また、第１開口を開閉する第１カバーが、下端部側の軸心を中心に揺動開閉可能に装置本体に取り付けられている。そして、ストラップの一端部が装置本体に接続し、他端部が第１カバーに接続して、第１カバーの最大開放角度がストラップにより保持される。
【０００３】
この種の画像形成装置において、装置本体の前記第１開口よりも奥側に第２開口が形成され、第２開口を開閉可能な第２カバーが装置本体に取り外し自在に取り付けられる構造がある。装置本体の第２開口の奥側には、例えば、脱臭ファン等のオプション部品が取り付けられる。そして、オプション部品にユーザーが触れることがないように、第２カバーを閉じ状態にロックするロック機構が設けられる。
【０００４】
従来、前記ロック機構のロックを解除する場合、作業者が専用の工具（キー）を用いてロックを解除していた。
【先行技術文献】
【特許文献】
【０００５】
【特許文献１】特開２０１６−１０９９４８号公報
【発明の概要】
【発明が解決しようとする課題】
【０００６】
上記従来の技術によれば、ロック機構のロックを解除する場合、専用の工具（キー）が必要であるために、作業者に対するサービス性が低下していた。
【０００７】
本発明は上記実状に鑑みて成されたもので、その目的は、作業者に対するサービス性を向上できる画像形成装置を提供する点にある。
【課題を解決するための手段】
【０００８】
本発明の画像形成装置は、第１開口が形成された装置本体と、前記第１開口を開閉可能に前記装置本体に取り付けられた第１カバーと、前記装置本体と前記第１カバーを連結するストラップとを備え、前記ストラップにより前記第１カバーの最大開き状態が保持される。そして、前記装置本体の前記第１開口よりも奥側に第２開口が形成され、前記第２開口を開閉可能な第２カバーが前記装置本体に取り外し自在に取り付けられ、前記第２カバーを閉じ状態にロックするロック機構が設けられ、前記ストラップに、前記ロック機構のロックを解除するロック解除操作部が設けられている。
【発明の効果】
【０００９】
本発明によれば、作業者に対するサービス性を向上させることができる画像形成装置を提供することができる。
【図面の簡単な説明】
【００１０】
【図１】図１は、画像形成装置の概略構成を示すブロック図である。
【図２】図２は、画像形成装置の背面斜視図である。
【図３】図３は、背面カバー（第１カバー）を開いた状態の画像形成装置の背部の斜視図である。
【図４】図４は、オプション用カバー（第２カバー）の背面側の斜視図である。
【図５】図５は、オプション用カバー（第２カバー）の内面側の斜視図である。
【図６】図６は、オプション用カバー（第２カバー）を開いた状態の画像形成装置の背部の斜視図である。
【図７】図７は、装置本体のストラップ挿通孔とロック解除操作部挿通孔を示す斜視図である。
【図８】図８は、背面カバー（第１カバー）が閉じられた状態のストラップの斜視図である。
【図９】図９は、ストラップ挿通孔にストラップの一端部が挿通された状態の斜視図である。
【図１０】図１０は、ストラップのロック解除操作部をロック機構の被操作部に外嵌した状態の断面図である。
【図１１】図１１は、背面カバー（第１カバー）の内面（裏面）側の斜視図である。
【図１２】図１２は、ストラップのロック解除操作部をロック機構の被操作部に外嵌している状態の斜視図である。
【図１３】図１３は、ストラップのロック解除操作部をロック機構の被操作部に外嵌する前のロック機構の斜視図（ロック状態）である。
【図１４】図１４は、ストラップのロック解除操作部をロック機構の被操作部に外嵌した状態のロック機構の斜視図（ロック状態）である。
【図１５】図１５は、ロック解除した状態のロック機構の斜視図である。
【発明を実施するための形態】
【００１１】
以下、本発明の実施の形態を図面に基づいて説明する。
【００１２】
図１，図２に示すように、本実施形態の画像形成装置１は、例えば複合機であり、給紙部２、画像読取部３（スキャナー部）、操作部４、画像形成部５、定着部６、及び排紙部７を備えている。
【００１３】
この画像形成装置１では、装置本体１０の上部に画像読取部３が設けられ、画像読取部３の正面側に操作部４が設けられている。装置本体１０の中央部および下部には画像形成部５、定着部６および給紙部２が設けられている。排紙部７は、画像読取部３の下方に設けられている。
【００１４】
給紙部２は、用紙を画像形成部５へ供給するカセット給紙部や手差しトレイである。画像読取部３は原稿を画像として読み取る。操作部４では、ユーザーによって画像形成装置１の各種操作が行われる。
【００１５】
画像形成部５は、感光ドラムや、その感光ドラムの周囲に配置された帯電器、現像器、転写ローラー（いずれも図示省略）などを備えている。この画像形成部５では、画像読取部３によって読み取られた画像データや外部端末から送信された画像データに基づいて、給紙部２から供給された用紙にトナー像を転写する。
【００１６】
定着部６は、互いに圧接されて回転する定着ローラーおよび加圧ローラー（いずれも図示省略）を備え、画像形成部５で用紙に転写されたトナー像をその用紙に定着させる。排紙部７には、画像形成された用紙が定着部６から供給される。
［背面カバー１２とその周辺の構造］
図３に示すように、装置本体１０の背部に、ジャム処理（装置本体１０内に詰まった用紙を取り除く処理）用の第１開口１１が形成されている。また、前記装置本体１０の背部に、第１開口１１を開閉する背面カバー１２（第１カバーに相当）が設けられている。背面カバー１２は、装置本体１０の左右方向に沿う下端部側の軸心Ｐ（図２参照）を中心に揺動開閉可能に構成されている。
【００１７】
この背面カバー１２は長方形状に形成され、背面カバー１２の上端部の幅方向中央部に、作業者やユーザーが手を挿入して把持する開閉操作用の凹部３４（図３参照）が形成されている。図１１に示すように、背面カバー１２の裏面（装置本体１０の内方側の面）に、用紙をガイドする複数の第１ガイドリブ３５が設けられている。複数の第１ガイドリブ３５は、上下方向（用紙の搬送方向）に長く形成されており、用紙の搬送幅方向に所定の間隔を空けて並んでいる。
［ストラップ１３の構造］
図３に示すように、装置本体１０と背面カバー１２は左右一対の樹脂製のストラップ１３で連結されている。ストラップ１３は細長い薄板状に形成されている。ストラップ１３の一端部１３Ａ（図８参照）は、装置本体１０の第１開口１１の幅方向の周縁部１１Ｓに取り外し自在に取り付けられ、他端部１３Ｂは、背面カバー１２の側部１２Ｓにビス（図示せず）で取り付け固定されている。
【００１８】
図３，図８，図１１に示すように、背面カバー１２の側部１２Ｓに、ストラップ１３の他端部１３Ｂを取り付けるストラップ取り付け部３１が設けられている。ストラップ取り付け部３１は、背面カバー１２の裏面から突出している。また、図８，図１２に示すように、ストラップ１３の他端部１３Ｂにビス挿通孔３２が形成されている。前記他端部１３Ｂの周縁は円弧状に形成されている。ストラップ１３の一端部１３Ａと、この一端部１３Ａの装置本体１０に対する取り付け構造とついては後で詳しく説明する。
【００１９】
背面カバー１２が閉じられると、ストラップ１３は折り畳まれた状態になる（図８，図１２参照）。そして、背面カバー１２が開かれると、ストラップ１３が一直線状に緊張して、背面カバー１２の最大開き状態（最大開放角度）を保持する（図３参照）。
［オプション用カバー１５とその周辺の構造］
図３，図６に示すように、装置本体１０の第１開口１１よりも奥側に、脱臭ファン（オプション部品に相当（図示せず））の取り付け作業用の第２開口１４が形成されている。装置本体１０の第２開口１４の奥側にはファン取り付け部（オプション部品取り付け部に相当）が設けられている。また、装置本体１０の第２開口１４の周縁部１４Ｓに、第２開口１４を開閉可能な長方形状のオプション用カバー１５（第２カバーに相当）が、係合機構を介して取り外し自在に取り付けられている。
【００２０】
図４〜図６に示すように、オプション用カバー１５は長方形状に形成されている。前記係合機構は、オプション用カバー１５の周部に分散して設けられた複数の第１係合爪２０と、装置本体１０の第２開口１４の周縁部１４Ｓに分散して形成された複数の被係合部２１（図６参照）とから成る。複数の第１係合爪２０は複数の被係合部２１に係合解除自在に各別に係合されている。
【００２１】
図４，図５，図１３に示すように、オプション用カバー１５の一側部の上端部に、前記第１係合爪２０よりも装置本体１０の奥側に長く延びる第２係合爪３６が設けられている。第２係合爪３６は、細長い板状の爪基部３６Ａと、爪基部３６Ａの先端部から板厚方向に突出する爪部３６Ｂとから成る。爪部３６Ｂは、爪基部３６Ａの全幅にわたって断面三角凸部状に形成されている。
【００２２】
また、オプション用カバー１５の背部に、用紙をガイドする複数の第２ガイドリブ１９が設けられている。複数の第２ガイドリブ１９は、給紙部２の用紙を前記転写ローラー側に搬送する搬送路に設けられている。これらの複数の第２ガイドリブ１９は用紙の搬送方向（上下方向）に長く形成され、用紙の搬送幅方向に所定の間隔を空けて並んでいる。用紙の搬送方向でオプション用カバー１５よりも上流側と下流側には、用紙を搬送する搬送ローラー１８が配置されている。前記上流側の搬送ローラー１８が入り込む複数の切り欠き４２が、オプション用カバー１５の下端部に形成されている。  
【００２３】
図１３〜図１５に示すように、オプション用カバー１５を閉じ状態にロックするロック機構１６が設けられている。また、図８に示すように、ストラップ１３の一端部１３Ａに、ロック機構１６をロック解除可能なロック解除操作部１７が設けられている。
［ロック機構１６の構造］
図６，図１０，図１３に示すように、第２開口１４の奥側の装置本体１０に、第２開口１４の周縁部１４Ｓに対向する縦壁３８が立設されている。そして、縦壁３８に貫通孔３８Ｈが形成されている。ロック機構１６は、前記貫通孔３８Ｈに回転自在に挿通支持される軸部２７と、軸部２７の一端部から立ち上がるＵ字状のロックキー２８と、軸部２７の他端部に連結し、ロック解除操作部１７にロック解除操作される被操作部２６とから成る。
【００２４】
前記軸部２７は丸棒状に形成されている。前記被操作部２６は、装置本体１０の内方側に向かって開口するカップ状に形成され、軸部２７よりも大径に形成されている。そして、被操作部２６の端部壁２６Ａの内面中央部に軸部２７の他端部が連結している。
【００２５】
図１３，図１４に示すように、被操作部２６の円筒部２６Ｂの周部に、径方向外側に突出する一対の第１凸部２６Ｃが、円筒部２６Ｂの中心に対して対称（点対称）に形成されている。
【００２６】
ロックキー２８は、上記のようにＵ字状に形成されて、一対の脚部２８Ａ，２８Ｂと、これらの一端部同士を連結する連結部２８Ｃとを備えている。ロックキー２８の一方の脚部２８Ａの他端部は軸部２７の一端部に連結している。これにより、前記一方の脚部２８Ａが軸部２７の径方向外側に立ち上がっている。
【００２７】
図１４に示すように、ロック機構１６のロック状態で、ロックキー２８は、前記連結部２８Ｃが上側に位置し、両脚部２８Ａ，２８Ｂが上下方向に沿っている。そして、両脚部２８Ａ，２８Ｂの間にオプション用カバー１５の第２係合爪３６が挿通されている。第２係合爪３６の先端部の爪部３６Ｂの内面４５（図４参照）は、ロックキー２８の他方の脚部２８Ｂに、装置本体１０の内方側から当接あるいは対向している。これにより、オプション用カバー１５が装置本体１０の外方側への移動を阻止されている。
【００２８】
図１０，図１５に示すように、前記ロック状態から軸部２７が被操作部２６と一体に回転して、ロックキー２８の他方の脚部２８Ｂが第２係合爪３６の背面の外側上方に退避することでロック解除状態になる。これにより、オプション用カバー１５が装置本体１０の外方側に移動可能になる。次に、前記軸部２７を被操作部２６と一体に回転させるロック解除操作部１７について説明する。
［ロック解除操作部１７の構造］
図８，図１０に示すように、ロック解除操作部１７は、ストラップ本体１３Ｈと直交する平板部２２と、平板部２２からストラップ１３の長手方向に延びる操作部本体２３とから成る。操作部本体２３の基端部２３Ａは円柱状に形成され、先端部２３Ｂは円筒状に形成されている。そして、前記先端部２３Ｂの周部に、径方向外側に突出する一対の断面Ｕ字状の第２凸部２３Ｃが、先端部２３Ｂの中心に対して対称（点対称）に形成されている。第２凸部２３Ｃの内面はキー溝に構成されている。前記操作部本体２３の先端部２３Ｂはロック機構１６の被操作部２６に外嵌する。
【００２９】
図６，図１２，図１３に示すように、第２開口１４の幅方向の周縁部１４Ｓの上端部に、装置本体１０の奥側（内方側）に凹む断面長方形状の凹部４３が形成されている。そして、凹部４３の底壁４４に、ロック解除操作部１７の操作部本体２３の形状に対応したロック解除操作部挿通孔４４Ｈが形成されている。前記凹部４３の側方（第２開口１４側）には、第２係合爪３６を挿通させる第２係合爪挿通孔４１（図１５参照）が形成されている。
［ストラップ１３の一端部１３Ａの装置本体１０への取り付け構造］
図７に示すように、第１開口１１の周縁部１１Ｓに、操作部本体２３の形状に対応した形状のストラップ挿通孔２４が形成されている。ストラップ１３の一端部１３Ａを第１開口１１の周縁部１１Ｓに取り付ける場合、図９に示すように、操作部本体２３を前記ストラップ挿通孔２４に挿入させる。そして、操作部本体２３を軸心周りに回転させる。すると、前記平板部２２に対向する第２凸部２３Ｃの端面２３Ｃ１（図１０参照）が、第１開口１１の周縁部１１Ｓに当接又は対向する。これにより、操作部本体２３がストラップ挿通孔２４から抜けなくなって、第１開口１１の周縁部１１Ｓに取り付けられた状態になる。ストラップ１３の一端部１３Ａを第１開口１１の周縁部１１Ｓから取り外す場合、上記と逆の操作を行う。
【００３０】
作業者は、ロック状態のロック機構１６を次の手順でロック解除することができる。
（１）  図３に示すように、背面カバー１２を開く。そして、ストラップ１３の一端部１３Ａの操作部本体２３を軸心を中心に回転させて、前記操作部本体２３を前記ストラップ挿通孔２４から引き抜く。
（２）  前記操作部本体２３を前記ロック解除操作部挿通孔４４Ｈに挿入して、ロック機構１６の被操作部２６に外嵌する。そして、前記操作部本体２３を操作部本体２３の軸心を中心に回転させる。
【００３１】
すると、図１５に示すように、被操作部２６が軸心を中心に回転して、ロックキー２８の他方の脚部２８Ｂが、前記第２係合爪３６の背面の外側に退避する。これにより、オプション用カバー１５が装置本体１０の外方側に移動可能なロック解除状態になる。
【００３２】
図１３に示すように、前記ロック機構１６のロック状態で、前記被操作部２６の一対の第１凸部２６Ｃは上下に位置する。また、前記一対の第１凸部２６Ｃに対応するロック解除操作部挿通孔４４Ｈの一対のＵ字溝４４Ｈ１も上下に位置する。従って、上記の（２）において、前記操作部本体２３をロック機構１６の被操作部２６に外嵌する際に、ロック解除操作部挿通孔４４Ｈがガイドとして機能し、外嵌操作を円滑に行うことができる。
【００３３】
ロック解除操作部１７によって、ロック解除状態のロック機構１６をロックすることもできる。ロック解除状態のロック機構１６をロックする場合、ロック機構１６の被操作部２６に外嵌した前記操作部本体２３を操作部本体２３の軸心を中心に上記（２）とは逆方向に回転させる。
【００３４】
本実施形態によれば、ロック機構１６のロックを解除する場合、専用の工具（キー）が不要である。従って、作業者に対するサービス性を向上できる。また、ストラップ１３の一端部１３Ａに前記ロック解除操作部１７が設けられているから、ロック解除操作を行いやすくなり、操作性を向上できる。
【００３５】
そして、装置本体１０の第２開口１４の奥側にファン取り付け部が設けられ、ファン取り付け部に脱臭ファンが取り付けられているから、ユーザーが脱臭ファンに触れることを防止することができ、ユーザーを保護することができる。
【００３６】
上記の実施形態では、背面カバー１２とオプション用カバー１５を第１カバーと第２カバーの例として挙げて説明したが、前記第１カバーと第２カバーはこれら以外のカバーであってもよい。例えば、第１カバーは側面カバーや前面カバーであってもよい。
【００３７】
前記ストラップ１３の他端部１３Ｂが、前記背面カバー１２に取り外し自在に取り付けられ、前記ストラップ１３の他端部１３Ｂに前記ロック解除操作部１７が設けられていてもよい。
【産業上の利用可能性】
【００３８】
以上説明したように、本発明は画像形成装置について有用であり、特に、複写機、ファクシミリ、プリンター、及び複合機（ＭＦＰ）等に有用である。
【符号の説明】
【００３９】
１０          装置本体
１１          第１開口
１２          背面カバー（第１カバー）
１３          ストラップ
１３Ａ        一端部（ストラップの一端部）
１４          第２開口
１５          オプション用カバー（第２カバー）
１６          ロック機構
１７          ロック解除操作部
【図１】
2019133001.tif 000003
【図２】
2019133001.tif 000004
【図３】
2019133001.tif 000005
【図４】
2019133001.tif 000006
【図５】
2019133001.tif 000007
【図６】
2019133001.tif 000008
【図７】
2019133001.tif 000009
【図８】
2019133001.tif 000010
【図９】
2019133001.tif 000011
【図１０】
2019133001.tif 000012
【図１１】
2019133001.tif 000013
【図１２】
2019133001.tif 000014
【図１３】
2019133001.tif 000015
【図１４】
2019133001.tif 000016
【図１５】
2019133001.tif 000017